(57)【要約】      （修正有）【課題】自転車などの施錠対象物の近くに常に工具等のアクサセリを置いておくことができ、アクセサリを置いたまま自転車等の施錠対象物から離れてもアクセサリが盗難されにくい等の利点を有するワイヤ錠を提供する。【解決手段】本錠本体は、錠本体２とワイヤ本体３とを備え、錠本体２には、工具などのアクセサリを備えたアクセサリ部材１５が着脱可能に取り付けられ、錠本体２の施錠状態では錠本体３からアクセサリ部材１５を離脱不能とする係合手段を備えている。【選択図】図３
0003163872.tif 000002
【実用新案登録請求の範囲】
【請求項１】
フック部を有し、このフック部の開閉により施錠・解錠を制御する錠本体と、可撓性を有する直線状のワイヤ本体とを備え、
上記ワイヤ本体の一端にループ部が形成され、他端に錠本体が連結され、
上記ループ部が、錠本体が挿通可能に設けられ、
上記錠本体に、工具等のアクセサリを備えたアクセサリ部材が着脱可能に取り付けられており、
上記錠本体及びアクセサリ部材に、錠本体が施錠状態の際に錠本体からアクセサリ部材を離脱不能とする係合手段が設けられているワイヤ錠。
【請求項２】
上記ループ部が、アクセサリ部材を取り付けた錠本体が挿通不能に形成されている請求項１記載のワイヤ錠。
【請求項３】
上記錠本体が、解錠可能な状態となった際に操作可能な操作部を有し、
この操作部の操作により、上記フック部を開放でき、かつ、上記アクセサリ部材を錠本体から離脱できるよう構成されている請求項１又は２記載のワイヤ錠。
【請求項４】
上記アクセサリ部材が、両側から突出した一対の突出部を有しており、
上記錠本体が、上記アクセサリ部材の一対の突出部をそれぞれスライド可能な一対のスライド部と、取り付けられたアクセサリ部材側に出退可能に設けられた上記係合手段としての出退部材とを備え、
上記アクセサリ部材に、上記係合手段として、錠本体に取り付けた状態において、上記出退部材が嵌まり込み可能な凹部が形成されており、この凹部が、上記出退部材が嵌まり込むことによりスライド部におけるアクセサリ部材のスライドを規制するように設けられており、
上記出退部材が、上記操作部の操作により、取り付けられたアクセサリ部材側の反対側に退出して凹部から抜け出すことができるよう設けられている請求項３記載のワイヤ錠。
【請求項５】
上記アクセサリ部材が、錠本体に取り付けられるアクセサリ部材本体と、上記アクセサリ部材本体に収納位置及び使用位置の間を回動できるように取り付けられた複数の工具とを備えている請求項１から請求項４のいずれかの請求項に記載のワイヤ錠。
【考案の詳細な説明】
【技術分野】
【０００１】
本考案は、自転車等を、街路樹等の支持構造物に繋止するためのワイヤ錠に関するものである。
【背景技術】
【０００２】
自転車などを一時的に放置する場合には、自転車を盗難から保護する必要がある。特に、自転車においては、盗難防止の手段としてワイヤ錠が広く普及している。このワイヤ錠は、複数の鋼線を撚り合わせたワイヤと、このワイヤの両端部を鍵やダイヤル等により開閉する錠本体とを備えるものが一般的であり、このようなワイヤを自転車の前輪や後輪等に巻き付けて車輪の回転を規制したり、自転車の一部分と街路樹等の支持構造物とをワイヤで一体的に捲回し、錠本体により固定することで、自転車の運転や持ち去りによる盗難を防止することができる。
【０００３】
また、自転車に関しては、たとえばマウンテンバイクのようなオフロード自転車が一般的に流行しているが、この種のオフロード自転車に乗る者は、自転車の修理や調整の必要性から、工具を携行している。通常、かかる工具は、自転車のフレームに取り付けたバッグ内に入れておくことがなされているが、バッグへ工具を入れ忘れるという問題のほか、バッグに工具を入れたままにしておくと工具が盗難される危険性がある。また、自転車に乗る者が衣服のポケットに工具を収納しておくことも考えられるが、転倒時に工具によって身体を傷つける危険性がある。
【０００４】
上記問題に鑑みて、例えば、（１）自転車のフレームパイプのボトルケージ取り付け部位に取り付けられ、六角レンチ（工具）を挿入保持できる二つの工具保持部を有する工具保持装置が提案されている（特開平６−２０６５８５号公報、実開平６−７４５９６号公報）。
【０００５】
しかしながら、（１）特開平６−２０６５８５号公報及び実開平６−７４５９６号公報に開示の工具保持装置にあっても、工具を工具保持部に取り付けたまま自転車から離れた場合には、工具が盗難される危険性がある。また、自転車から離れる際に工具をいちいち取り外して持ち歩く場合には、再度自転車に乗車する際に工具を携行し忘れるおそれがある。
【０００６】
なお、ワイヤ錠とは異なるが、鍵としては、（２）オートバイのホイールリムに取り付けられる略Ｈ字状の鍵に、工具の機能を持たせたものが開示されている（実登３０２７４８１号公報）。この鍵は、第一嵌止棒と、第二嵌止棒と、第一嵌止棒及び第二嵌止棒を連接する連接棒とにより全体として略Ｈ字状に設けられている。そして、連接棒が第一嵌止棒の第一位置決め孔に脱着可能に取り付けられており、この連接棒の先端がドライバー（工具）として機能するものである。
【０００７】
しかしながら、（２）実登３０２７４８１号公報に開示の鍵は、工具として使用する場合に、工具の作業部位よりも遥かに大きな連接棒を持って作業する必要があり、作業性が極めて悪い。
【０００８】
一方、自転車用のワイヤ錠としては、例えば、（３）屈曲可能かつ引張りに対する剛性が高い長尺部材であるワイヤと、このワイヤの一端部に設けられた施錠杵と、他端部に設けられた錠本体とから形成され、施錠時には施錠杵と錠本体とが係止状態に維持されて全体がループ状に形成される二輪車用錠において、錠本体の鍵孔形成面及び施錠杵と錠本体との係止箇所以外の部分が、軟質ゴム等により被覆されていることを特徴とする二輪車用錠が開発されている（特開２００８−５７１９７号公報参照）。また、（４）可撓性のあるワイヤロープの一端に接続された錠本体と、このワイヤロープの他端に設けられ、錠本体と係脱自在に係合する係合部とを備えたワイヤ錠が開発されている（特開２００５−６７４１２号公報参照）。このワイヤ錠のワイヤロープの周囲には、可撓性のある細いワイヤがコイル状に巻き付けられている。この細いワイヤは、両端部にループ部を有し、このループ部にワイヤロープが挿通可能であることを特徴としている。
【０００９】
しかしながら（３）特開２００８−５７１９７号公報に開示の二輪車用錠は、ワイヤ自体は屈曲可能であるものの剛性が高く、所望の方向に自在に屈曲・変形させることが困難であり、取扱いが困難となる不都合がある。また、このワイヤの形状が単純なループ状であり、また、ワイヤの長さもある程度制限されることから、自転車各部への取り付け箇所や取り付けパターンが単純化し、その結果、ワイヤの１カ所を切断するのみでロックを解除でき、さらには自転車ごと持ち去られ盗難されるという不都合がある。また、（４）特開２００５−６７４１２号公報に開示のワイヤ錠は、ワイヤロープの周囲にコイル状に巻き付けられた可撓性のある細いワイヤを展開して構造物に巻き付けることで自転車を構造物に繋止することができるが、ワイヤ錠の構造が複雑化し、自転車と支持構造物との繋止及び離脱作業が容易ではなくなるという不都合がある。
【先行技術文献】
【特許文献】
【００１０】
【特許文献１】特開平６−２０６５８５号公報
【特許文献２】実開平６−７４５９６号公報
【特許文献３】実登３０２７４８１号公報
【特許文献４】特開２００８−５７１９７号公報
【特許文献５】特開２００５−６７４１２号公報
【考案の概要】
【考案が解決しようとする課題】
【００１１】
本考案は、これらの不都合に鑑みてなされたものであり、例えば自転車など施錠対象物の近くに常に工具等のアクサセリを置いておくことができ、アクセサリを置いたまま自転車等の施錠対象物から離れてもアクセサリが盗難されにくく、しかも工具などのアクセサリを使用する際にその作業が簡便であり、さらにシンプルな構造により一対の施錠対象物の連結及びその解除を容易かつ確実に実現することができ、さらには軽量・コンパクトで持ち運びに便利なデザイン性の高いワイヤ錠の提供を目的とするものである。
【課題を解決するための手段】
【００１２】
上記課題を解決するためになされた考案は、
フック部を有し、このフック部の開閉により施錠・解錠を制御する錠本体と、可撓性を有する直線状のワイヤ本体とを備え、
上記ワイヤ本体の一端にループ部が形成され、他端に錠本体が連結され、
上記ループ部が、錠本体が挿通可能に設けられ、
上記錠本体に、工具等のアクセサリを備えたアクセサリ部材が着脱可能に取り付けられており、
上記錠本体及びアクセサリ部材に、錠本体が施錠状態の際に、錠本体からアクセサリ部材を離脱不能とする係合手段が設けられているワイヤ錠である。
【００１３】
当該ワイヤ錠は、錠本体にアクセサリ部材が着脱可能に取り付けられているので、錠本体からアクセサリ部材を離脱した状態で、アクセサリ部材のアクセサリを使用することができる。具体的には、例えば、アクセサリが工具である場合には、錠本体から離脱した状態でアクセサリ部材を把持して、工具による作業を行うことができ、その作業が簡便に行いうる。
【００１４】
さらに、当該ワイヤ錠は、錠本体とワイヤ本体とアクセサリ部材とから主として構成されるものであり、アクセサリ部材が着脱可能に取り付けられるワイヤ本体の一端に錠本体が連結され、他端にループ部が形成されるというスマートかつシンプルな構造を有する。このワイヤ本体は、可撓性を有する直線状の部材であることから、柔軟性が高く、容易に曲げ捻ることができ、施錠対象物への捲回・固定や未使用時における収納・コンパクト化などの取扱いにおいて、極めて高い利便性を発揮することができる。
【００１５】
具体的には、フック部を有する当該錠本体は、ワイヤ本体のループ部に挿通可能であることから、一対の施錠対象物の一方にワイヤ本体を捲回させた後、ワイヤ本体のループ部に錠本体を一体的に挿通させ、次いで錠本体を施錠対象物の他方に捲回させた後にワイヤ本体にフック部を掛止させる等の種々の手段により、当該ワイヤ錠と一対の施錠対象物とを容易かつ確実に捲着・固定することができる。
【００１６】
通常のワイヤ錠は、ワイヤ本体の長さの約半分以下の距離にある一対の施錠対象物しか連結することができないが、当該ワイヤ錠は、上述の連結方法によるとワイヤ本体の長さを有効に利用し、比較的離れた距離にある一対の施錠対象物を連結することができる。さらに、当該ワイヤ錠は、ワイヤ本体のループ部から比較的小さく捲回し、最後に錠本体をループ部に挿通することで、コンパクトに纏めることができ、収納性、持ち運び性等が向上する。
【００１７】
さらに、上述のように一対の施錠対象物を連結して、錠本体を施錠状態とする際に、アクセサリ部材を錠本体に取り付けておくことにより、係合手段によってアクセサリ部材は錠本体から離脱不能となるので、アクセサリ部材を施錠対象物の近くに置いておいても、アクセサリ部材が盗難されにくい。具体的には、たとえば施錠対象物が自転車である場合には、この自転車の近くに工具等のアクセサリを置いておくことができる。
しかも、施錠状態においてアクセサリ部材を錠本体に取り付けておくことにより、アクセサリ部材が取り付けられた錠本体は、上記ワイヤ本体のループ部を挿脱しにくくなるため、錠自体の防犯効果が増加する。一方、当該ワイヤ錠を一対の施錠対象物から取り外す際には、錠本体からアクセサリ部材を離脱して、このアクセサリ部材を離脱した錠本体をスムーズにループ部を挿通させることができる。
【００１８】
なお、当該ワイヤ錠は、上記ループ部が、アクセサリ部材を取り付けた錠本体が挿通不能に形成されていることが好ましい。これにより、施錠状態においてアクセサリ部材を錠本体に取り付けておくことで、アクセサリ部材及び錠本体がワイヤ本体のループ部を挿通不能となり、錠自体の防犯効果がさらに増加する。
【００１９】
また、当該ワイヤ錠は、上記錠本体が、解錠可能な状態となった際に操作可能な操作部を有し、この操作部の操作により、フック部を開放でき、かつ、アクセサリ部材を錠本体から離脱できるよう構成されていることが好ましい。これにより、錠本体を解除可能な状態として、操作部を操作することによって、アクセサリ部材を離脱することができるとともに、フック部を開放して、解錠作業を行うことができる。
【００２０】
上記構成を採用した場合には、当該ワイヤ錠の係合手段として、アクセサリ部材に凹部を設け、錠本体に凹部に嵌まり込み可能な出退部材を設けることができる。具体的には、アクセサリ部材が、両側から突出した一対の突出部を有し、上記錠本体が、上記アクセサリ部材の一対の突出部をそれぞれスライド可能な一対のスライド部と、取り付けられたアクセサリ部材側に出退可能に設けられた出退部材とを備え、上記アクセサリ部材に、錠本体に取り付けた状態において、上記出退部材が嵌まり込み可能な凹部を形成し、この凹部が、上記出退部材が嵌まり込むことによりスライド部におけるアクセサリ部材のスライドを規制するように設けられており、上記出退部材が、上記操作部の操作により、取り付けられたアクセサリ部材側の反対側に退出して凹部から抜け出すことができるように設けられている構成を採用することができる。これにより、錠本体を解除可能な状態として、操作部を操作することによって、アクサセリ部材をスライドさせて、アクセサリ部材を錠本体から離脱することができる。一方、錠本体を施錠状態とした際には、出退部材は上記凹部に嵌まり込み、スライド部におけるアクセサリ部材のスライドが規制されるため、アクセサリ部材を錠本体から離脱不能とすることができる。
【００２１】
当該ワイヤ錠は、上記アクセサリ部材が、錠本体に取り付けられるアクセサリ部材本体と、上記アクセサリ部材本体に収納位置及び使用位置の間を回動できるように取り付けられた複数の工具とを備えている構成を採用することができる。これにより、錠本体にアクセサリ部材本体を取り付けている際には、複数の工具を収納位置に位置せしめておき、一方、錠本体からアクセサリ部材を取り外して工具を使用する際に、使用位置まで回動させて使用することができる。また、複数の工具を備えるので、修理目的に応じて、適切な工具を上記使用位置に回動させて用いることができる。
【考案の効果】
【００２２】
以上説明したように、本考案のワイヤ錠は、例えば自転車など施錠対象物の近くに常に工具等のアクサセリを置いておくことができ、アクセサリを置いたまま自転車等の施錠対象物から離れてもアクセサリが盗難されにくい。しかも、工具などのアクセサリを使用する際にその作業が簡便である。さらに、スマートかつシンプルな構造を有し、簡単な作業により、一対の施錠対象物を様々な捲着パターンで固定・繋止することができる。また、本考案のワイヤ錠は、未使用時においてコンパクトに纏めて持ち運ぶことが容易となることから、特に、自転車、レジャー用品、手荷物品等の盗難防止のために広く好適に使用され得る。
【図面の簡単な説明】
【００２３】
【図１】本考案に係るワイヤ錠の一実施形態を示す平面図である。
【図２】図１のワイヤ錠の錠本体の平面図である。
【図３】図１のワイヤ錠の錠本体及びアクセサリ部材の底面図である。
【図４】図１のワイヤ錠においてアクセサリ部材を取り外した状態の錠本体の底面図である。
【図５】図１のワイヤ錠においてアクセサリ部材を取り外した状態の鍵本体の側面図である。
【図６】図１のワイヤ錠のワイヤ本体の模式的断面図である。
【図７】図１のワイヤ錠の錠本体から取り外した状態のアクセサリ部材の底面図である。
【図８】図１のワイヤ錠の錠本体から取り外した状態のアクセサリ部材の側面図である。
【図９】図１のワイヤ錠の錠本体から取り外した状態のアクセサリ部材の平面図である。
【図１０】図１のワイヤ錠を一対の施錠対象物に捲着・固定した状態を示す模式図である。
【考案を実施するための形態】
【００２４】
以下、適宜図面を参照しつつ本考案の実施の形態を詳説する。
【００２５】
図１のワイヤ錠１は、錠本体２と、ワイヤ本体３と、錠本体２に着脱可能に取り付けられたアクセサリ部材１５とを備える。
【００２６】
錠本体２は、ワイヤ本体３に掛止することで、施錠対象物と、施錠対象物に捲回したワイヤ本体３とを一体的に固定するための部材である。この錠本体２は、ボディ部５と、フック部６と、このフック部６の開閉により施錠・解錠を制御する制御部とを主として備えている。なお、ボディ部５は、後述するダイヤル８の表面に記された番号を確認するための切欠部分（窓）を有する（図１及び図２参照）。
【００２７】
フック部６は、ボディ部５から出退可能に設けられた略Ｕ字状の部材であり、ワイヤ本体３に掛止することができる。このフック部６は、略Ｕ字状の一端が他端６ａよりも長く設けられており、この長く設けられた一端が、ボディ部５にスライド可能かつ離脱不能に取り付けられている。また、短く設けられた他端６ａは、ボディ部５にスライド可能に設けられ、ボディ部５から離間する方向にフック部６をスライドした際に、この他端６ａの先端部とボディ部５との間に隙間ができ（開放状態、図４参照）、この隙間からワイヤ本体３（掛止対象物）をＵ字状内部に挿通させることができるよう設けられている。なお、上記略Ｕ字状の一端は、上述のように他端６ａの先端部６ａをボディ部５から離間させた状態において、ボディ部５に対して一端の軸方向を中心として回動できるようボディ部５に取り付けられており、この一端を回動することにより、他端６ａの先端部６ａとボディ部５との隙間をより大きくすることができる。一方、フック部６をボディ部５側にスライドさせて、上記他端６ａとボディ部５との隙間をなくすことにより（閉鎖状態、図２及び図３参照）、掛止されたワイヤ本体３が錠本体２から離脱することを防ぐことができる。
【００２８】
上記制御部は、正当な利用者であるか否かを認証する認証手段８と、認証手段８によって正当な利用者であると認証された際に操作可能な操作部９とを備えている。
【００２９】
上記認証手段の種類としては、特に限定されないが、複数個のダイヤル８を備え特定の番号配列（暗証番号）により施錠状態から解除状態に変更するダイヤル式であることが好ましい。かかる認証手段８がダイヤル式の施錠・解錠制御機構であることにより、鍵や鍵穴を用意する必要がなく、施錠・解錠の取扱い及び利便性が向上する。
【００３０】
上記操作部９は、操作することによりフック部６を開放できるように設けられている。具体的には、操作部９の押圧操作によって、上記フック部６の他端６ａがボディ部５から離間する方向にフック部６がスライドして、フック部６を開放状態とする（解錠状態とする）よう設けられている。一方、フック部６をボディ部５側にスライドして、複数のダイヤル８を特定の番号配列と異ならしめるように回転操作することで施錠状態が得られる。そして、操作部９は、この施錠状態において認証手段８によって正当な利用者であると認証できない限り、操作不能（押圧操作不能）となるように設けられている。
【００３１】
また、上記ボディ部５は、ワイヤ本体３に連結される連結部１１を有する。かかる連結部１１は、ボディ部５において、フック部６及び制御部８，９の機能を阻害しない任意の箇所に形成される。本実施形態においては、連結部１１はフック部６の反対箇所に設けている。この連結部１１にワイヤ本体３を挿通・繋着することで、錠本体２とワイヤ本体３とを強固に連結することができる。なお、この連結部１１において挿通・繋着されたワイヤ本体３は、後述するループ部２２と同様のループ構造を採用することができる。
【００３２】
さらに、上記ボディ部５は、後述するアクセサリ部材１５の一対の突出部１６ａをそれぞれスライド可能な一対のスライド部１２を有している（図４及び図５参照）。このスライド部１２は、上記ダイヤル８の表出面の反対面側（底面側）から突出して形成されている。この一対のスライド部１２は、図５に示すように下端部から他方のスライド部１２側に向けて突出する鍔部１２ａを有しており、この鍔部１２ａによってスライド部１２の突出形成方向へのアクセサリ部材１５の離脱が阻止されている。
【００３３】
また、上記錠本体２は、取り付けられたアクセサリ部材１５側に出退可能に設けられた出退部材１３を備えており、この出退部材１３は、後述するアクセサリ部材１５の凹部１６ｂに嵌まり込むことができるように設けられている。この出退部材１３は、本実施形態においては、前記一対のスライド部１２の間に設けられており、上記ダイヤル８の表出面の反対面側（底面側）にボディ部５に設けられた穿孔から突出可能なボール部材から構成されている。この出退部材１３は、操作部９を操作しない場合には、ボディ部５から表面側（底面側）に突出した状態を維持しており、操作部９を操作することにより、ボディ部５の内部に退出できるように設けられている。なお、本実施形態の上記出退部材１３は、当該ワイヤ錠１の係合手段として機能する。
【００３４】
さらに、上記ワイヤ本体３は、可撓性を有する直線状のワイヤであり、一対の施錠対象物を捲回・繋止するための部材である。このワイヤ本体３の一端には上述した錠本体２が連結され、他端にはループ部２２が形成される（図１参照）。このワイヤ本体３の構造を詳説すると、図６に示す通り、ワイヤ本体３は、複数の鋼線２３から構成される１本の芯線２４と、複数の鋼線２３から構成される６本のストランド２５と、芯線２４とストランド２５との間に挟入される間質材２６とを有する。
【００３５】
ループ部２２は、自転車等の施錠対象物に捲回したワイヤ本体３を挿通するための部分である。かかるループ部２２の構造を詳説すると、長手方向に延伸するワイヤ本体３の一端が屈折・湾曲し、このワイヤ本体３の先端部がワイヤ本体３に固定されることでループが形成される。このループ部２２は、アクセサリ部材１５を取り外した錠本体２及びワイヤ本体３を一体的に挿通させることができるため、ワイヤ本体３の施錠対象物への捲着・離脱操作が容易となる。
【００３６】
このループ部２２は、上述したようにアクセサリ部材１５を取り外した錠本体２を挿通することができ、しかもアクセサリ部材１５を取り付けた錠本体２は挿通できないように設けられている。具体的には、ループの中空部分の大きさが、錠本体２の外形よりも大きく且つ取り付けられたアクセサリ部材１５及び錠本体２の大きさよりも小さく設けられている。
【００３７】
上述したループ部２２を形成する際のワイヤ本体３の先端部とワイヤ本体３との固定手段については、特に限定されず、例えばワイヤ本体３の先端部とワイヤ本体３との接触部分をアルミ等の金属素管によりプレス・被覆し、この金属の周囲を更に合成樹脂等で被覆することが挙げられる。このように、ワイヤ本体３の先端部とワイヤ本体３との接触部分を金属及び合成樹脂で被覆することで、ループ部２２の強度及び耐久性を向上させ、ループ部２２におけるループの解除や破損を効果的に防止することができる。
【００３８】
鋼線２３は、芯線２４及びストランド２５を構成する最小単位の素線である。この鋼線２３の素材としては、特に限定されず、例えば、ピアノ鋼線、硬鋼線、ＰＣ硬鋼線、オイルテンパー鋼線、亜鉛メッキ鋼線、ステンレス鋼線、チタン鋼線、チタン合金鋼線等が挙げられ、中でも、許容応力が高く、繰り返し荷重に対する高い耐久力を有するピアノ鋼線であることが好ましい。
【００３９】
芯線２４は、鋼線２３を複数撚り合わせて形成される。この芯線２４の撚り合わせの構造については、特に限定されず、例えば１本の鋼線２３に６本の鋼線２３を撚り合わせるとよい。このように、１本の鋼線２３に６本の鋼線２３を撚り合わせることで、芯線２４の引張強度及び柔軟性をバランス良く発揮することができる。
【００４０】
ストランド２５は、鋼線２３を複数撚り合わせて形成され、芯線２４の外周に螺旋状に捲回される。かかるストランド２５の撚り合わせの構造については、特に限定されず、上述した芯線２４の場合と同様に、１本の鋼線２３に６本の鋼線２３を撚り合わせてストランド２５の柔軟性を向上することができる。また、１本の鋼線２３に６本の鋼線を撚り合わせつつ、その周囲に更に９本の鋼線２３を撚り合わせて２層構造とすることもできる。このように、ストランド２５を構成する鋼線２３を２層構造とすることで、ストランド２５の柔軟性及び非自転性をバランス良く発揮することができる。また、芯線２４に捲回されるストランド２５の数は、特に限定されないが、ワイヤ本体３に良好な柔軟性及び耐衝撃性を付与するためには、６ストランドであることが好ましい。
【００４１】
なお、芯線２４及びストランド２５を鋼線２３のみから撚り合わせることも可能であるが、鋼線２３の種類として、鋼線以外の繊維、例えば炭素繊維、アラミド繊維、ボロン繊維、ガラス繊維等を１種単独又は２種以上を併用して撚り合わせることもできる。
【００４２】
間質材２６は、芯線２４と、この芯線２４の外周に捲回されるストランド２５との間に挟入され、ワイヤ本体３に良好な柔軟性を付与する部材である。この間質材２６の素材としては、例えば天然繊維、合成繊維、天然繊維又は合成繊維に潤滑油を含浸させたもの、熱可塑性樹脂等が挙げられる。
【００４３】
上記天然繊維としては、例えばコットン、シルク、羊毛、麻、パルプ等が挙げられる。上記合成繊維としては、例えばナイロン繊維、ポリエチレン繊維、ポリプロピレン繊維、ポリスチレン繊維、ポリエステル繊維、ポリアミド繊維、アクリル繊維、ポリビニルアルコール繊維、ポリエチレンテレフタレート繊維、ウレタン繊維、アクリル繊維、エチレン酢酸ビニル繊維等が挙げられる。中でも、柔軟性及び耐久性をバランス良く発揮することができるポリエチレン繊維を採用することが好ましい。また、潤滑油としては、例えば鉱物性、動物性、植物性のものを１種単独又は２種以上併用して使用することができる。
【００４４】
上記熱可塑性樹脂としては、例えば、ポリエチレン、高密度ポリエチレン、中密度ポリエチレン、低密度ポリエチレン、ポリプロピレン、エチレン−プロピレン共重合体、エチレン酢酸ビニル共重合体、ポリ塩化ビニル、ポリ塩化ビニリデン、ポリスチレン、ポリ酢酸ビニル、ポリテトラフルオロエチレン、アクリロニトリルブタジエンスチレン樹脂、アクリル樹脂、ポリアミド、ナイロン、ポリアセタール、ポリカーボネート、変性ポリフェニレンエーテル、ポリブチレンテレフタレート、ポリエチレンテレフタレート、グラスファイバー強化ポリエチレンテレフタレート、環状ポリオレフィン、ポリフェニレンスルファイド、ポリテトラフロロエチレン、ポリスルホン、ポリエーテルサルフォン、非晶ポリアリレート、ポリエーテルエーテルケトン、熱可塑性ポリイミド、ポリアミドイミド等が挙げられる。中でも、良好な柔軟性を発揮すると共に、入手容易であり低コスト化を図ることができるポリエチレンを採用することが好ましい。
【００４５】
ワイヤ本体３の外接円における直径としては、２ｍｍ以上６ｍｍ以下が好ましく、２．５ｍｍ以上３．５ｍｍ以下がより好ましい。このワイヤ本体３の外接円における直径を上記範囲とすることで、ワイヤ本体３の柔軟性が向上し、ワイヤ本体３の捲回や変形が容易となる。また、ワイヤ本体３の柔軟性が向上することで、ワイヤ錠１の不使用時においてワイヤ本体３を捲き纏め、コンパクト化を容易に実現することができる。なお、このワイヤ本体３の外接円における直径が２ｍｍ未満であると、ワイヤ本体３の柔軟性は向上するものの引張強度や耐久性が著しく低下するため好ましくない。また、ワイヤ本体３の外接円における直径が６ｍｍを超えると、ワイヤ本体３の柔軟性が低下し、取扱いの簡便性が低下すると共に、ワイヤ本体３が大型化し、コンパクト化を図ることが困難となるため好ましくない。
【００４６】
上記ワイヤ本体３は、形状記憶特性を有さない弾性体である。このように、ワイヤ本体３は、形状記憶特性を有さず、かつ弾性体であることから、ワイヤ本体３に屈曲・撚回等の負荷を加えて変形させた場合であっても、かかる負荷を解除すると、新たに外部から負荷を加えるなど特段の事情がない限り、変形時の形状を記憶することなく元の形状（長手方向に伸長する直線状の形状）に容易に復元することができる。その結果、ワイヤ本体３は、三次元におけるあらゆる方向に対して自在に屈曲・撚回等することができ、表面形状が複雑で凹凸の多い施錠対象物（自転車、街路樹等）に対して容易に捲着することができる。
【００４７】
上記ワイヤ本体３の可撓度（ｆｌｅｘｉｂｉｌｉｔｙ  ｎｕｍｂｅｒ）としては、９００以上１５００以下が好ましく、１２００以上１４００以下がより好ましい。このワイヤ本体３の可撓度は、ワイヤロープの曲げやすさを表す尺度である。かかる可撓度をＦ、鋼棒の縦弾性係数をＥ、ワイヤロープの曲げ剛性弾性係数をＥｆ、ワイヤロープと同一外径の丸棒の断面二次モーメントをＩ、ワイヤロープの断面二次モーメントをＩｒとすると、可撓度Ｆは、下記数式（１）により算出される。このようにして算出されるワイヤロープの可撓度Ｆは、丸鋼棒の可撓度Ｆ＝１を基準として定量的に示すことができ、Ｆの値が大きいワイヤロープほど曲げやすいことを意味する。このワイヤ本体３の可撓度を上記範囲とすることで、ワイヤ本体３の柔軟性や曲げやすさを向上することができ、取扱いの簡便性を著しく向上することができる。このワイヤ本体３の可撓度が９００未満であると、ワイヤ本体３の柔軟性・曲げやすさが低下し、取扱いの簡便性が低下するため好ましくない。また、ワイヤ本体３の可撓度が１５００を超えるとワイヤ本体３が過度に柔軟となり、曲げ応力による破損・破断が生じやすくなるため好ましくない。
Ｆ＝（Ｅ＊Ｉ）／（Ｅｆ＊Ｉｒ）・・・数（１）
【００４８】
上記ワイヤ本体３の長さは、特に限定されるものではない。例えば、ワイヤ本体３の長さは、３ｍ以上５ｍ以下とすることができる。このワイヤ本体３の長さを３ｍ以上５ｍ以下とすることで、施錠対象物の形状が大きく複雑である場合でも、ワイヤ本体３を十分に捲回・捲着することができる。また、ワイヤ本体３の長さを、１．５ｍ以上２ｍ以下とすることもできる。このワイヤ本体３の長さを１．５ｍ以上２ｍ以下とすることで、未使用時における巻回によるコンパクト化を容易に実現することができる。なお、ワイヤ本体３の長さは、連結部１１との連結部分及びループ部２２を含まない部分の長さを意味する。
【００４９】
上記ワイヤ本体３の外周を合成樹脂層２７で被覆するとよい。このように、ワイヤ本体３の外周に合成樹脂が被覆されていることで、ワイヤ本体３の柔軟性及び取扱い容易性を確保しつつ、良好な耐久性、防水性及び防錆性をバランス良く付与することができる。
【００５０】
上記合成樹脂層２７の素材としては、特に限定されず、例えばポリウレタン、ナイロンエラストマー、ポリエーテルブロックアミド、ポリエチレン、ポリプロピレン、ポリ塩化ビニル、ポリアミド、ポリスチレン、フッ素系樹脂、シリコーン樹脂、酢酸ビニル等を１種単独又は２種以上併用して使用することができる。中でも、良好な柔軟性を発揮すると共に入手が容易であるポリ塩化ビニルを採用することが好ましい。なお、合成樹脂層２７の色彩としては、特に限定されず、意匠的な効果及び防犯強化の面を考慮し、蛍光色等の視覚的に目立つ色彩が好ましい。
【００５１】
上記アクセサリ部材１５は、図７〜図９に示すように、錠本体２に着脱可能に取り付けられるアクセサリ部材本体１６と、上記アクセサリ部材本体１６に取り付けられた複数の工具１９とを備えている。この工具１９は、収納位置及び使用位置の間を回動できるようにアクセサリ部材本体１６に軸支されている。具体的には、アクセサリ部材本体１６は、一対の板状部材１７と、この一対の板状部材１７を一定の間隔をあけて固定する軸材１８とを備え、軸材１８は、板状部材１７の両端近傍に一対設けられている。そして、この一対の板状部材１７間及び一対の軸材１８間の空間部が、上記工具１９の収納位置として機能する。また、軸材１８には、複数の工具１９が回動可能に軸支されており、収納位置から１８０度回転させた位置が使用位置として使用することができる。また、複数の工具１９は、各種サイズの六角レンチ、ドライバとすることができる。
【００５２】
さらに、アクセサリ部材本体１６は、錠本体２側（上面側）において、図８に示すように、両側から突出した一対の突出部１６ａを有しており、この突出部１６ａは上記スライド部１２をスライド可能に設けられている。具体的には、突出部１６ａは、アクセサリ部材本体１６の錠本体２側（上面側）の板状部材１７に設けられている。
【００５３】
さらに、アクセサリ部材本体１６には、図９に示すように、上記出退部材１３が嵌まり込み可能な凹部１６ｂが形成されている。具体的には、アクセサリ部材本体１６の錠本体２側（上面側）の板状部材１７の錠本体２側の面（上面）に、出退部材１３に対応する位置に凹部１６ｂが形成されている。なお、本実施形態の上記凹部１６ｂは、当該ワイヤ錠１の係合手段として機能する。
【００５４】
次に、ワイヤ錠１の使用方法について説明する。
【００５５】
まず、アクセサリ部材１５を錠本体２から離脱しておき、自転車等の施錠対象物Ｐに対し、ワイヤ本体３を捲回しつつ、ループ部２２に錠本体２及びワイヤ本体３を一体的に挿通し、施錠対象物Ｐとワイヤ本体３とを捲着する。次いで、かかるワイヤ本体３を電柱、街路樹、柵、ガードレール等の他の施錠対象物Ｑに対しても捲回し、錠本体２をワイヤ本体３に掛止する。そして、アクセサリ部材１５を錠本体２に取り付けて、複数のダイヤルを特定の番号配列と異なる番号配列に回転することによって、錠本体２の施錠状態を得る（図１０参照）。
【００５６】
このように、ワイヤ錠１の取扱いは単純かつ簡便なものであり、一対の施錠対象物Ｐ及びＱを容易かつ確実に捲着、固定、繋止することができ、その結果、施錠対象物Ｐの盗難を効果的に防止することができる。なお、この捲着手段については、ワイヤ本体３の長さが、例えば３ｍ以上５ｍ以下程度であれば、施錠対象物に対して何重にも捲着させることや、錠本体２をループ部２２に掛止して比較的大型の施錠対象物を一体的に捲着することができる。
【００５７】
さらに、施錠状態においてアクセサリ部材１５を錠本体２に離脱不能に取り付けておくことができるので、工具１９を自転車等の施錠対象物Ｐの近くに置いておいても、工具１９が盗難されにくい。しかも、施錠状態においてアクセサリ部材１５を錠本体２に離脱不能に取り付けておくことで、アクセサリ部材１５が取り付けられた錠本体２は、ワイヤ本体３のループ部２２を挿脱できないので、錠自体の防犯効果が増加する。
【００５８】
一方、上記施錠状態から、複数のダイヤル８を特定の番号配列にあわせて、解錠可能な状態とすることで、操作部９が操作可能となる。そして、操作部９を操作することで、フック部６が開放され、錠本体２が解錠状態となり、かつ、アクセサリ部材１５を錠本体１から離脱できる状態となる。アクセサリ部材１５について詳述すると、操作部９の操作によって、出退部材１３が凹部１６ｂから離脱するため、アクセサリ部材１５がスライド可能となり、この状態でアクセサリ部材１５をスライドさせることで錠本体２から離脱することができる。
【００５９】
上述のように、錠本体２からアクセサリ部材１５を離脱できるので、錠本体２から離脱した状態でアクセサリ部材１５を把持して、工具１９による作業を行うことができ、その作業が簡便に行いうる。
【００６０】
また、工具１９は、アクセサリ部材本体１６に回動できるように取り付けられているので、錠本体２にアクセサリ部材本体１６を取り付けている際には、複数の工具１９を収納位置に位置せしめておき、一方、錠本体２からアクセサリ部材１５を取り外して工具１９を使用する際に、使用位置まで回動させて使用することができる。また、複数の工具１９を備えるので、修理目的に応じて、適切な工具１９を上記使用位置に回動させて用いることができる。
【００６１】
また、ワイヤ錠１は、錠本体２とワイヤ本体３とアクセサリ部材１５とから主として構成されるものであり、アクセサリ部材１５が着脱可能に取り付けられるワイヤ本体３の一端に錠本体２が連結され、他端にループ部２２が形成されるというスマートかつシンプルな構造を有する。このワイヤ本体３は、可撓性を有する直線状の部材であることから、柔軟性が高く、容易に曲げ捻ることができ、施錠対象物への捲回・固定や未使用時における収納・コンパクト化などの取扱いにおいて、極めて高い利便性を発揮することができる。
【００６２】
なお、本考案のワイヤ錠は上記実施形態に限定されるものではない。例えば、本考案のワイヤ錠は自転車用ワイヤ錠として好適に使用され得る。自転車は、一般的に移動性や利便性が高く、屋外において使用し駐輪するものであるから、盗難が非常に容易である。従って、本考案を自転車用ワイヤ錠として使用すると、自転車の複雑な構造によらずワイヤを捲回して自転車を効果的に捲着・固定することができる。また、自転車用ワイヤ錠のワイヤを自転車に対して何重にも複雑に捲回させることで、その捲着パターンが複雑であればあるほど捲着の解除が困難となり、その結果、盗難防止効果をさらに向上することができる。なお、自転車用ワイヤ錠は、自転車のサドル座裏面にブリッジ状に配設されるサドルレールに捲着・固定することも可能であり、サドルを取り外して持ち去ることによる盗難をも効果的に防止することができる。さらに、本考案のワイヤ錠は、自転車用ワイヤ錠としての用途に限らず、例えば自動車、バイク、レジャー用品、キャンプ用品等の用途に対しても広く好適に使用され得る。また、本考案において、係合手段の具体的構成は上記実施形態のものに限定されるものではない。
【産業上の利用可能性】
【００６３】
以上のように、本考案のワイヤ錠は、たとえば自転車など施錠対象物の近くに常に工具等のアクサセリを置いておくことができ、アクセサリを置いたまま自転車等の施錠対象物から離れてもアクセサリが盗難されにくく、しかも、工具などのアクセサリを使用する際にその作業が簡便であり、さらに、スマートかつシンプルな構造を有し、簡単な作業により、一対の施錠対象物を様々な捲着パターンで固定・繋止することができ、また、未使用時においてコンパクトに纏めて持ち運ぶことが容易となることから、特に、自転車、レジャー用品、手荷物品等の盗難防止のために広く好適に使用され得る。
【符号の説明】
【００６４】
１  ワイヤ錠
２  錠本体
３  ワイヤ本体
５  ボディ部
６  フック部
６ａ  他端
８  認証手段（ダイヤル）
９  操作部
１１  連結部
１２  スライド部
１２ａ  鍔部
１３  出退部材（係合手段）
１５  アクセサリ部材
１６  アクセサリ部材本体
１６ａ  突出部
１６ｂ  凹部（係合手段）
１７  板状部材
１８  軸材
１９  工具
２２  ループ部
２３  鋼線
２４  芯線
２５  ストランド
２６  間質材
２７  合成樹脂層
３３  ワイヤ本体
Ｐ  施錠対象物
Ｑ  施錠対象物
【図１】
0003163872.tif 000003
【図２】
0003163872.tif 000004
【図３】
0003163872.tif 000005
【図４】
0003163872.tif 000006
【図５】
0003163872.tif 000007
【図６】
0003163872.tif 000008
【図７】
0003163872.tif 000009
【図８】
0003163872.tif 000010
【図９】
0003163872.tif 000011
【図１０】
0003163872.tif 000012